(57)【要約】【課題】液晶テレビジョン装置または、液晶表示装置の本体の後部内壁に取り付けられる固定用ブラケットと、本体とが干渉して起こるびびり音を低減する。【解決手段】液晶テレビジョン装置または、液晶表示装置の本体の後部内壁から突出して立設する先端が曲がったフック部を、固定用ブラケットの第二の貫通穴に本体の内壁側から前側へ貫通させ、上記第二の貫通穴の周縁部を上記本体の後部内壁との間に挿入して掛止可能とし、上記固定用ブラケットを掛止したときに上記固定用ブラケットと本体の後部内壁より立設したボス部の先端が当接するよう固定する。【選択図】図１１
0003117923.tif 000002
【実用新案登録請求の範囲】
【請求項１】
インバータ回路と蛍光管からなるバックライトを備えて、映像を表示する複数画素にて形成された液晶表示パネルと、音声信号を基に音声を出力するスピーカーと、テレビジョン放送を受信して映像を上記液晶表示パネルに表示させるとともに、スピーカーにて音声を出力させ、かつ、一次側電源回路を含む基板と、前面に上記液晶表示パネルの表示窓を形成する樹脂製のフロントキャビネットと同フロントキャビネットの後側に取付けられる樹脂製のバックキャビネットとから形成され、上記液晶表示パネルと上記スピーカーと上記基板とを収容する本体と、上記バックキャビネットの後部内壁に取付けられる板状の固定用ブラケットと、上記固定用ブラケットを介して上記本体を下側から支持する支持脚と、上記キャビネットの背面に取り付けられる壁掛け用部材とを備え、上記バックキャビネットの後部内壁には先端が上記固定用ブラケットに当接するボス部が各ボス部を結ぶ線分で略四角形を形成するよう４個立設され、各ボス部には立設された方向に貫通するとともに上記バックキャビネットの後部内壁も貫通した第一の貫通穴が形成され、上記壁掛け用部材が上記第一の貫通穴を貫通する螺子により上記固定用ブラケットに対して着脱可能に螺子止めされる液晶テレビジョン装置において、
上記バックキャビネットの後部内壁には、上記ボス部を結んで形成される略四角形の向かい合う辺の間に位置し上記固定用ブラケットに向けて突出する先端が鉤状に折れたフック部が立設され、
上記固定用ブラケットには、上記フック部の位置に合わせて上記ボス部が立設された方向へ同フック部の先端部を貫通可能な第二の貫通穴を有し、
上記フック部の先端は、上記固定用ブラケットの第二の貫通穴を上記バックキャビネットの後部内壁側から前側へ貫通して上記固定用ブラケットにおける上記第二の貫通穴の周縁部を上記バックキャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成され、
上記ボス部を貫通した螺子を外して上記壁掛け用部材を取り外したときに上記フック部に掛止された上記固定用ブラケットに対して上記固定用ブラケットに当接した上記ボス部の先端から同固定用ブラケットへ押し力を加えるようにしたことを特徴とし、
上記バックキャビネットの後部内壁に立設したボス部の先端に、上記固定用ブラケットに向けて上記ボス部よりも細い可塑性のリブを２重に形成し、
上記固定用ブラケットは、上記バックキャビネットの後部内壁に螺子止めされていることを特徴とする液晶テレビジョン装置。
【請求項２】
前面に上記液晶表示パネルの表示窓を形成するキャビネットを有する本体と、上記キャビネットの後部内壁に取付けられる板状の固定用ブラケットと、上記固定用ブラケットを介して上記本体を下側から支持する支持脚と、上記キャビネットの背面に取り付けられる壁掛け用部材とを備え、上記キャビネットの後部内壁には先端が上記固定用ブラケットに当接するボス部が複数立設され、各ボス部には立設された方向に貫通するとともに上記キャビネットの後部内壁も貫通した第一の貫通穴が形成され、上記壁掛け用部材が上記第一の貫通穴を貫通する螺子により上記固定用ブラケットに対して着脱可能に螺子止めされる液晶表示装置において、
上記キャビネットの後部内壁には、上記ボス部どうしの間の位置で上記固定用ブラケットに向けて突出する先端が鉤状に折れたフック部が立設され、
上記固定用ブラケットには、上記フック部の位置に合わせて上記ボス部が立設された方向へ同フック部の先端部を貫通可能な第二の貫通穴を有し、
上記フック部の先端は、上記固定用ブラケットの第二の貫通穴を上記キャビネットの後部内壁側から前側へ貫通して上記固定用ブラケットにおける上記第二の貫通穴の周縁部を上記キャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成され、
上記ボス部を貫通した螺子を外して上記壁掛け用部材を取り外したときに上記フック部に掛止された上記固定用ブラケットに対して上記固定用ブラケットに当接した上記ボス部の先端から同固定用ブラケットへ押し力を加えるようにしたことを特徴とする液晶表示装置。
【請求項３】
上記キャビネットの後部内壁に立設したボス部の先端に、上記固定用ブラケットに向けて上記ボス部よりも細い可塑性のリブを複数形成したことを特徴とする請求項２に記載の液晶表示装置。
【請求項４】
上記固定用ブラケットは、上記キャビネットの後部内壁に螺子止めされていることを特徴とする請求項２と請求項３のいずれかに記載の液晶表示装置。
【考案の詳細な説明】
【技術分野】
【０００１】
本考案は、液晶表示装置または、液晶テレビジョン装置に関し、特に、フロントキャビネットとバックキャビネットから構成される本体によって表示パネルを収容する液晶表示装置または、液晶テレビジョン装置に関する。
【背景技術】
【０００２】
従来、この種の装置は、映像を表示する液晶表示パネルと、フロントキャビネットとバックキャビネットから構成される本体とから構成されている。上記構成においては、フロントキャビネットをバックキャビネットの前側に取り付けることで本体を形成し、液晶表示パネルを内部に収容するよう固定していた。
【０００３】
上記構成の装置では、装置を構成する部品の嵌合部に隙間が存在するため、スピーカー等から発生する音の振動によって本体が振動し、構成品同士が干渉しあうことでびびり音が発生する。これを防止するために、フロントキャビネットとバックキャビネットの嵌合面にリブを形成し面接触を線接触にすることで隙間をなくしびびり音を防止する方法が知られている（例えば、特許文献１を参照。）。
【０００４】
また、本体に音声出力用のスピーカーを収容した場合、上記スピーカーの頂部をガイドレール等で押さえつけることにより、上記スピーカーとバックキャビネットとの取付け部の隙間をなくし異音の発生を防止する方法が知られている（例えば、特許文献２を参照。）。
【０００５】
図１０は従来の液晶テレビジョン装置１の構造を示した図である。液晶テレビジョン装置１は、インバータ回路と蛍光管からなるバックライト４を備え、映像を表示する複数画素にて形成された液晶表示パネル３と、音声信号を基に音声を出力するスピーカー１１と、テレビジョン放送を受信して映像信号を上記液晶表示パネル３に表示させるとともに、スピーカー１１に音声を出力させ、かつ、一次側電源回路を含む基板７と、前面に上記液晶表示パネル３の表示窓を形成する樹脂製のフロントキャビネット２と、同フロントキャビネット２の後側に取付けられる樹脂製のバックキャビネット５と、上記バックキャビネット５の後部内壁に取付けられる板状で金属製の固定用ブラケット８と、上記バックキャビネットの後部内壁から突出するよう立設され、軸方向に上記ボス部を貫通するとともに上記バックキャビネット５の後部内壁も貫通する第一の貫通穴１２を有する４個の薄肉円筒のボス部９と、上記固定用ブラケット８を介して下側から上記本体を支持する支持脚１３とから構成されている。
【０００６】
また、液晶テレビジョン装置１は厚みが薄いことが特徴であり、この特徴を生かして壁掛け用部材１４を用いて、液晶テレビジョン装置１を壁に掛けることが可能である。図１１は壁掛け用部材１４を用いて液晶テレビジョン装置１を壁に掛けたときの図である。このとき、壁掛け用部材１４は、ボス部９を貫通する螺子により上記固定用ブラケット８に対して着脱可能に螺子止めされることによりバックキャビネット５に固定される。
【０００７】
上記した液晶テレビジョン装置１の構造では、支持脚１３を用いて液晶テレビジョン装置１を支持させる場合、壁掛け用部材１４と固定用ブラケット８を固定する螺子等をゆるめて壁掛け用部材１４を取り外す。このとき、壁掛け用部材１４と固定用ブラケット８を螺子止めしボス部９を貫通する螺子は取り外されており、ボス部９と固定用ブラケット８の間には隙間が存在する。このため、スピーカー１１からの音声振動等により本体が振動すると、ボス部９と固定用ブラケット８は互いの振動によって干渉し合いびびり音が発生する。従来このびびり音を防止するためにボス部９と固定用ブラケット８との間に不織布１０を挟みこみ、ボス部９と固定用ブラケット８との干渉により発生するびびり音を防止していた。
【０００８】
【特許文献１】特開２００１−３５９０２２号
【０００９】
【特許文献２】特開平１０−１６４４６４号
【考案の開示】
【考案が解決しようとする課題】
【００１０】
上記した特許文献１に開示された構造においては、バックキャビネット５をフロントキャビネット２に摺接させて接合する構造において有効であり、構成品の開口部同士を嵌合して固定される部分のびびり音防止にしか効果がなかった。
【００１１】
上記した特許文献２に開示された構造においては、ガイドレール等でスピーカーを押さえつけ固定するためのものであり、さらに、押さえつける構成品の上方にガイドレールを必要とするため形状を限定する必要があった。
【００１２】
図１０と図１１に示した液晶テレビジョン装置１の構造においては、次のような課題があった。すなわち、製造工程において作業者が不織布１０を張り忘れてしまうことがある。また、不織布１０を張った場合においても出荷の段階において、不織布１０の粘着力が弱く剥がれてしまうことがある。上記液晶テレビジョン装置１の内部は、バックキャビネット５とフロントキャビネット２から構成された本体６によって遮蔽されており、製品の完成後に不織布１０の有無を検査することは非常に困難である。このため、不織布１０が所定の位置に存在しない液晶テレビジョン装置１をユーザに提供してしまい、ユーザからびびり音が発生する等のクレームを受けていた。
【００１３】
本考案は、上記課題にかんがみてなされたもので、びびり音を防止することが可能な液晶テレビジョン装置または、液晶表示装置の提供を目的とする。
【課題を解決するための手段】
【００１４】
上記目的を達成するために、請求項１にかかる液晶テレビジョン装置は、インバータ回路と蛍光管からなるバックライトを備えて、映像を表示する複数画素にて形成された液晶表示パネルと、音声信号を基に音声を出力するスピーカーと、テレビジョン放送を受信して映像を上記液晶表示パネルに表示させるとともに、スピーカーにて音声を出力させ、かつ、一次側電源回路を含む基板と、前面に上記液晶表示パネルの表示窓を形成する樹脂製のフロントキャビネットと同フロントキャビネットの後側に取付けられる樹脂製のバックキャビネットとから形成され、上記液晶表示パネルと上記スピーカーと上記基板とを収容する本体と、上記バックキャビネットの後部内壁に取付けられる板状の固定用ブラケットと、上記固定用ブラケットを介して上記本体を下側から支持する支持脚と、上記キャビネットの背面に取り付けられる壁掛け用部材とを備え、上記バックキャビネットの後部内壁には先端が上記固定用ブラケットに当接するボス部が各ボス部を結ぶ線分で略四角形を形成するよう４個立設され、各ボス部には立設された方向に貫通するとともに上記バックキャビネットの後部内壁も貫通した第一の貫通穴が形成され、上記壁掛け用部材が上記第一の貫通穴を貫通する螺子により上記固定用ブラケットに対して着脱可能に螺子止めされる液晶テレビジョン装置において、上記バックキャビネットの後部内壁には、上記ボス部を結んで形成される略四角形の向かい合う辺の間に位置し上記固定用ブラケットに向けて突出する先端が鉤状に折れたフック部が立設され、上記固定用ブラケットには、上記フック部の位置に合わせて上記ボス部が立設された方向へ同フック部の先端部を貫通可能な第二の貫通穴を有し、上記フック部の先端は、上記固定用ブラケットの第二の貫通穴を上記バックキャビネットの後部内壁側から前側へ貫通して上記固定用ブラケットにおける上記第二の貫通穴の周縁部を上記バックキャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成され、上記ボス部を貫通した螺子を外して上記壁掛け用部材を取り外したときに上記フック部に掛止された上記固定用ブラケットに対して上記固定用ブラケットに当接した上記ボス部の先端から同固定用ブラケットへ押し力を加えるようにしたことを特徴とし、上記バックキャビネットの後部内壁に立設したボス部の先端に、上記固定用ブラケットに向けて上記ボス部よりも細い可塑性のリブを２重に形成し、上記固定用ブラケットは、上記バックキャビネットの後部内壁に螺子止めされている構造である。
【００１５】
すなわち、上記バックキャビネットの後部内壁には先端が上記固定用ブラケットに当接するボス部が各ボス部を結ぶ線分で略四角形を形成するよう４個立設され、各ボス部には立設された方向に貫通するとともに上記バックキャビネットの後部内壁も貫通した第一の貫通穴が形成されている。また上記壁掛け用部材が上記第一の貫通穴を貫通する螺子により上記固定用ブラケットに対して着脱可能に螺子止めされる。さらに、上記バックキャビネットの後部内壁には、上記ボス部を結んで形成される略四角形の向かい合う辺の間に位置し上記固定用ブラケットに向けて突出する先端が鉤状に折れたフック部が立設されている。上記固定用ブラケットには、上記フック部の位置に合わせて上記ボス部が立設された方向へ同フック部の先端部を貫通可能な第二の貫通穴を有し、上記フック部の先端は、上記固定用ブラケットの第二の貫通穴を上記バックキャビネットの後部内壁側から前側へ貫通して上記固定用ブラケットにおける上記第二の貫通穴の周縁部を上記バックキャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成されている。このような構造において、上記ボス部を貫通した螺子を外して上記壁掛け用部材を取り外したときに上記フック部に掛止された上記固定用ブラケットに対して上記固定用ブラケットに当接した上記ボス部の先端から同固定用ブラケットへ押し力を加えるようにしたことを特徴としている。さらに、上記バックキャビネットの後部内壁に立設したボス部の先端に、上記固定用ブラケットに向けて上記ボス部よりも細い可塑性のリブを２重に形成し、上記固定用ブラケットは、上記バックキャビネットの後部内壁に螺子止めされている。
【００１６】
このようにバックキャビネットと固定用ブラケットとの隙間を埋め、びびり音を防止する手法は、上記した液晶テレビジョン装置に限らず液晶表示装置にも応用できる。そこで、請求項２にかかる液晶表示装置は、前面に上記液晶表示パネルの表示窓を形成するキャビネットを有する本体と、上記キャビネットの後部内壁に取付けられる板状の固定用ブラケットと、上記固定用ブラケットを介して上記本体を下側から支持する支持脚と、上記キャビネットの背面に取り付けられる壁掛け用部材とを備え、上記キャビネットの後部内壁には先端が上記固定用ブラケットに当接するボス部が複数立設され、各ボス部には立設された方向に貫通するとともに上記キャビネットの後部内壁も貫通した第一の貫通穴が形成され、上記壁掛け用部材が上記第一の貫通穴を貫通する螺子により上記固定用ブラケットに対して着脱可能に螺子止めされる液晶表示装置において、上記キャビネットの後部内壁には、上記ボス部どうしの間の位置で上記固定用ブラケットに向けて突出する先端が鉤状に折れたフック部が立設され、上記固定用ブラケットには、上記フック部の位置に合わせて上記ボス部が立設された方向へ同フック部の先端部を貫通可能な第二の貫通穴を有し、上記フック部の先端は、上記固定用ブラケットの第二の貫通穴を上記キャビネットの後部内壁側から前側へ貫通して上記固定用ブラケットにおける上記第二の貫通穴の周縁部を上記キャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成され、上記ボス部を貫通した螺子を外して上記壁掛け用部材を取り外したときに上記フック部に掛止された上記固定用ブラケットに対して上記固定用ブラケットに当接した上記ボス部の先端から同固定用ブラケットへ押し力を加えるようにした構造とする。
【００１７】
すなわち、上記キャビネットの後部内壁には先端が上記固定用ブラケットに当接するボス部が複数立設され、各ボス部には立設された方向に貫通するとともに上記キャビネットの後部内壁も貫通した第一の貫通穴が形成され、上記壁掛け用部材が上記第一の貫通穴を貫通する螺子により上記固定用ブラケットに対して着脱可能に螺子止めされている。さらに、上記キャビネットの後部内壁には、上記ボス部どうしの間の位置で上記固定用ブラケットに向けて突出する先端が鉤状に折れたフック部が立設され、上記固定用ブラケットには、上記フック部の位置に合わせて上記ボス部が立設された方向へ同フック部の先端部を貫通可能な第二の貫通穴を有し、上記フック部の先端は、上記固定用ブラケットの第二の貫通穴を上記キャビネットの後部内壁側から前側へ貫通して上記固定用ブラケットにおける上記第二の貫通穴の周縁部を上記キャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成された構造である。このような構造において、上記ボス部を貫通した螺子を外して上記壁掛け用部材を取り外したときに上記フック部に掛止された上記固定用ブラケットに対して上記固定用ブラケットに当接した上記ボス部の先端から同固定用ブラケットへ押し力を加えることを特徴とする。
【００１８】
ここで、上記フック部は、上記固定用ブラケットの第二の貫通穴を上記キャビネットの後部内壁側から前側へ貫通して上記固定用ブラケットにおける上記第二の貫通穴の周縁部を上記キャビネットの後部内壁との間に挿入して掛止可能であるとともに、上記固定用ブラケットを掛止したときに上記固定用ブラケットに当接した上記ボス部の先端から固定用ブラケットへ押し力を加えさせる位置に形成されるものであればよい、従って、上記固定用ブラケットとバックキャビネットを、上記フック部のみで固定するものであってもよいし、螺子等を用いて上記固定用ブラケットとバックキャビネットを固定するものであってもよい。
【考案の効果】
【００１９】
以上説明したように本考案によれば、固定用ブラケットと本体後部内壁との隙間をなくしびびり音を防止することが可能な液晶テレビジョン装置まはた、液晶表示装置を提供することができる。
また、請求項３にかかる考案によれば、請求項２に記載の液晶表示装置においてボス部の先端にリブを設けることによりリブの変形を促し固定用ブラケットとボス部の当接面にできる隙間を軽減させる。
また、請求項４にかかる考案によれば、請求項２または、請求項３のいずれかに記載の液晶表示装置において固定用ブラケットとボス部を螺子止めすることにより、固定用ブラケットとボス部の当接面にできる隙間を軽減させるとともに上記固定用ブラケットと上記ボス部の固定部の剛性を上げることができる。
【考案を実施するための最良の形態】
【００２０】
ここでは、下記の順序に従って本考案の実施形態について説明する。
（１）液晶テレビジョン装置の構造
（２）バックキャビネットの構造
（３）変形例１
（４）変形例２
（５）まとめ
【００２１】
（１）液晶テレビジョン装置の構造
図１は本考案の一実施例である液晶テレビジョン装置１を分解して表す斜視図である。液晶テレビジョン装置１は、液晶物質が充填された多数のセルからなる液晶表示パネル３と、音声を出力するスピーカー１１と、テレビジョン放送信号から映像信号と音声信号を生成し、上記映像信号を液晶表示パネル３に表示させるとともに、スピーカー１１に音声を出力させ、かつ、一次側電源回路を含む基板７と、樹脂製のフロントキャビネット２と同フロントキャビネット２の後側に取付けられる樹脂製のバックキャビネット５と、バックキャビネット５に取り付けられる固定用ブラケット８と、支持脚１３とから構成されている。壁に掛けて使用する場合は、壁掛け用部材１４がこの構成にさらに加わる。
【００２２】
図２には、本考案の一実施形態における液晶テレビジョン装置概略構成を説明するブロック構成図を示す。同図において、液晶テレビジョン装置１は、基板７に本体の動作を制御するマイコン７０１と、図示していないアンテナで受信されるテレビ放送信号から選択されているチャンネルのテレビ放送信号を抽出し、出力するチューナ７０４と、上記チューナ７０４が出力したテレビ放送信号に基づく映像を液晶表示パネル３に表示する信号処理部７０３と、上記チューナ７０４が出力したテレビ放送信号に基づく音声をスピーカー３から出力する音声処理部７０５と、リモコン７０６から送信されてきた制御コマンドを受信するリモコン受信部７０２とを備えている。
【００２３】
上記マイコン７０１は、リモコン受信部７０２で受信した制御コマンドに応じて、電源のオン／オフ、チャンネルの切換、音量のアップ／ダウン等を制御する。また、液晶テレビジョン装置１の各部には、図示しない電源回路から動作電源が供給されている。この電源回路の入力は、商用電源（例えば、ＡＣ１００Ｖ）である。
【００２４】
液晶表示パネル３は周囲を金属製のフレーム１５で囲み、後側にバックライト４を有している。液晶表示パネル３は印加する電圧値によって向きが変化し、光の透過率が変化する液晶物質を充填したセルをマトリクス状に配置し、基板７が映像信号を基に生成した駆動電圧を各セルに印加することにより各セルの光の透過率を変化させ映像を表示する。このとき透過する光源として、液晶表示パネル３の背面に配置されたバックライト４を使用する。液晶表示パネル３を囲むフレーム１５は、フロントキャビネット２と相対応する螺子止め用の穴を有しフロントキャビネット２に螺子止めすることにより、液晶表示パネル３を固定する。次に、基板７は、液晶表示パネル３の背面に、フレーム１５と螺子止めすることにより固定され、フロントキャビネット２と、バックキャビネット５を螺子止めすることにより液晶表示パネル３を本体に収容する。
【００２５】
上記構造において、液晶テレビジョン装置１を壁に掛けて使用する場合、壁掛け用部材１４をバックキャビネット５に固定するが、液晶テレビジョン装置１はある程度の重量があり、また、バックキャビネット５は樹脂製であるため壁掛け用部材１４と液晶テレビジョン装置１との結合部に下向きの力が掛かり上記結合部を破損させる恐れがあった。そのため、バックキャビネット５に金属製の固定用ブラケット８を固定し、固定用ブラケット８と壁掛け用部材１４を螺子等で固定させることにより液晶テレビジョン装置１の重量を支えることが可能な構造としている。さらに、壁掛け用部材１４と固定用ブラケット８を固定する螺子等が貫通する穴の周縁部に補強用のボス部９を設けることで第一の貫通穴１２の補強を行っている。
【００２６】
また、上記構造において、液晶テレビジョン装置１を直立させて使用する場合、同様な理由から、支持脚１３を固定用ブラケット８に固定して本体６を支持させる。このとき、液晶テレビジョン装置１の幅の狭さを有効に活用するため壁掛け用部材１４は取外され、ボス部９と固定用ブラケット８には隙間が生じる。また、固定用ブラケット８は金属製の板状であるため、常に反り等が発生しボス部９との間に隙間が存在する。そのため、スピーカー１１からの音声振動等によりバックキャビネット５が振動すると、ボス部９と固定用ブラケット８とが互いに振動して干渉しびびり音を発生させる。そこで、本考案では、バックキャビネット５にフック部１６を備え、さらにボス部９の高さを工夫することで固定用ブラケット８とボス部９との隙間をなくしびびり音を防止する。
【００２７】
（２）バックキャビネットの構造
図３は本考案の一実施形態であるバックキャビネットの厚み方向断面の一部を拡大した図である。バックキャビネット５には後部内壁側から突出しボス部の軸方向にバックキャビネット５を貫通する第一の貫通穴１２を有する４個の薄肉円筒のボス部９が形成され、４個のボス部９は互いを結ぶ線分が略四角形となるように配置されている。上記線分によって形成された略四角形の向かい合う辺の間には、バックキャビネット５の後部内壁から突出する先端が鉤状に折れたフック部１６が一対形成されている。図４は固定用ブラケットの斜視図である。固定用ブラケット８は両縁にフック部１６が貫通する方形の第二の貫通穴１７を２個有する金属でできた板状の板金である。フック部１６は固定用ブラケット８の第二の貫通穴１７をバックキャビネット５の後部内壁側から貫通し、固定用ブラケット８をバックキャビネット５の後部内壁から突出したボス部９の先端と当接するよう、固定用ブラケット８における第二の貫通穴の周縁部と掛止する。上記フック部１６により固定用ブラケット８をバックキャビネット５に固定した状態で、ボス部９は固定用ブラケット８に押し力を掛けるボス部の軸方向の長さを有する形状とする。
【００２８】
上記ボス部９が固定用ブラケット８に押し力を掛けることのできる長さは、例えば、バックキャビネット５の後部内壁を基準として、ボス部９の長さをａ、フック部の首下までの長さをｂとし、固定用ブラケット８の厚みをｃとする。このとき、図３からボス部９の長さａと固定用ブラケット８の厚みｃを足した値がフック部１６の首下の長さｂより長い下式の場合、
ａ＋ｃ＞ｂ
ボス部９は固定用ブラケット８に押し力を掛ける。これをボス部９の長さａに対して整理すると、
ａ＞ｂ−ｃ
となり、上記式を満たす長さをボス部９は有することで、ボス部９は固定用ブラケット８に押し力を掛ける。
【００２９】
図５はフック部１６とボス部９と固定用ブラケット８との関係を梁の構造に簡略化した図である。図５において、固定用ブラケット８を梁１９に、フック部１６を支持部１８に、ボス部９が固定用ブラケット８に与える押し力を力Ｗとそれぞれ簡略化する。梁１９は両端に押し力Ｗを掛けられるため、支持部１８を支点として力Ｗを加えられた方向に梁１７の両端を下げる形の反りを発生させる。これをフック部１６とボス部９と固定用ブラケット８との関係に戻すと、ボス部９はフック部１６を支点として固定用ブラケット８にバックキャビネットの後部内壁側と反対方向に反りを発生させる。上記反りの発生により、固定用ブラケット８は、ボス部９の先端で当接し、隙間の形成を防止する。
【００３０】
（３）変形例１
上記構造により、固定用ブラケット８とボス部９は当接しびびり音の発生を防止するが、固定用ブラケット８は、ボス部９からの押し力により反りを発生させるため、固定用ブラケット８とボス部９の当接面積は小さい。ここで、固定用ブラケット８とボス部９の当接面を工夫することでボス部９の変形量を増加させ当接面積を大きくする。これにより固定用ブラケット８とボス部９をよりいっそう当接させ、びびり音の防止を可能とする。
【００３１】
一般に材料に応力がはたらくと、これに抵抗する応力が生じると同時に変形が現れる。この変形した材料の、元の状態に対する度合をひずみεという。ひずみεの式は、材料長さをＬ，変形量をΔＬとすると、
ε＝ΔＬ／Ｌ
となる。また、応力σとひずみの関係はヤング係数Ｅを用いて表すことができ、
Ｅ＝σ／ε
となる。ここで、応力σは、加えられる一定の力Ｆと力Ｆがはたらく断面積Ｓとの関係で表せ、これを上記ヤング係数Ｅの式に代入すると、
Ｅ＝Ｆ／Ｓ／ε＝（Ｆ×Ｌ）／（ΔＬ×Ｓ）
となる。上記ヤング係数Ｅに対する式をΔＬに対する式に変形すると、
ΔＬ＝（Ｆ×Ｌ）／（Ｅ×Ｓ）
となり、上記ΔＬの式において、ＦとＬとＥとが一定である場合
ΔＬ＝Ａ／Ｓ      （Ａ：定数）
と置け、断面積Ｓの減少に伴い変形量ΔＬは大きくなる。
【００３２】
図６は本考案の一実施形態であるボス部の先端の拡大図である。ボス部９は、先端部の第一の貫通穴１２の周囲に軸心からの径が異なる環状の２個のリブ２０をボス部９の先端から突出するよう形成した構造とする。上記構成で、固定用ブラケット８に掛けられる力の反力はリブ２０に加わりリブをひずみ変形させる。このとき反力が掛かるリブ２０の当接面は小さいためひずみによるリブ２０の変形量は大きくなり、リブ２０を潰れ易くする。
【００３３】
図７は本考案の一実施形態における先端にリブ２０を有さないボス部９と固定用ブラケット８の当接部の拡大図である。図８は本考案の一実施例における先端にリブ２０を有するボス部９と固定用ブラケット８の当接部の拡大図である。図７において、固定用ブラケット８はボス部からの押し力のためフック部１６を支点として反りが発生しており、このためボス部９の先端と固定用ブラケット８はある一点のみで当接する状態となっている。このため、ボス部９と固定用ブラケット８との間に隙間を生じている。図８において、同様に固定用ブラケット８はリブ２０と当接するが、リブ２０はひずみにより変形し固定用ブラケット８とボス部９は一点で当接せず、固定用ブラケット８とリブ２０との間の隙間を軽減させる。これにより、より一層のびびり音防止効果を得ることができる。
【００３４】
（４）変形例２
上記構造により、固定用ブラケット８とボス部９は隙間を軽減しびびり音の発生を防止するが、固定用ブラケット８とバックキャビネット５をフック部１６で固定した後、螺子を介してさらに固定することにより、固定用ブラケット８とボス部９の隙間をさらに軽減し、びびり音を防止することが可能となる。
【００３５】
図９は本考案の一実施形態であるバックキャビネットの一部を拡大した図である。バックキャビネット５は、後部内壁から突出する高さがボス部９よりも高い第一の座２１を備え、第一の座２１の略中央部には雌螺子部を有する。固定用ブラケット８の略端部には階段状に一段高い第二の座２２を設け、第二の座２２の略中央には、バックキャビネット５の第一の座２１の雌螺子部と相対する螺子止め用貫通穴を有し、第一の座２１と第二の座２２を当接するよう螺子止めする。上記構造により、固定用ブラケット８は螺子によりバックキャビネット５の後部内壁に立設するボス部９にさらに押し付けられる。これにより固定用ブラケット８とボス部９は当接面をさらに押し付け、固定用ブラケット８とボス部９との当接部にできる隙間を減少させる。また、フック部１６を用いて固定した後、螺子等でさらに固定を行うため固定用ブラケット８とバックキャビネット５との固定部の剛性が増し、固定用ブラケット８に固定する支持脚１３が本体６の重量増に耐えることが可能となる。
【００３６】
（５）まとめ
このように本考案によれば、液晶テレビジョン装置１の本体を形成するバックキャビネット５の後部内壁に立設されたフック部１６を介して固定用ブラケット８をバックキャビネット５の後部内壁から立設されたボス部９の先端と当接するよう固定する。上記構造により本体を支持脚１３で支持して使用するときに、固定用ブラケット８とボス部９の間に生じる隙間を軽減し、固定用ブラケット８とボス部９を持着させる。これにより、音声振動等による固定用ブラケット８とボス部９との干渉により発生するびびり音を防止する。
【００３７】
本考案の一実施形態によれば、上記請求項２に記載の液晶表示装置において、バックキャビネットの後部内壁から突出したボス部の先端に、固定用ブラケットに向けて上記ボス部よりも細い可塑性のリブを複数形成した構造である。
【００３８】
すなわち、上記請求項２に記載の液晶表示装置において、バックキャビネットの後部内壁から突出したボス部の先端に、さらに固定用ブラケットに向けて上記ボス部よりも細い可塑性のリブを複数形成し、これにより上記リブをひずみ変形させて、上記固定用ブラケットと上記ボス部の間の隙間を軽減させる。
【００３９】
本考案の一実施形態によれば、上記請求項２または請求項３のいずれかに記載の液晶表示装置において、上記固定用ブラケットと上記バックキャビネットは螺子止めされる構造とする。
【００４０】
すなわち、上記請求項２または請求項３のいずれかに記載の液晶表示装置において、固定用ブラケットとバックキャビネットは螺子止めさ、そのため上記固定用ブラケットとボス部はさらに当接することで、上記固定用ブラケットと上記ボス部の間の隙間をさらに軽減させる。
【００４１】
なお、本発明は上記実施形態に限られるものでないことは言うまでもない。当業者であれば言うまでもないことであるが、 
・上記実施形態の中で開示した相互に置換可能な部材および構成等を適宜その組み合わせを変更して適用すること 
・上記実施形態の中で開示されていないが、公知技術であって上記実施形態の中で開示した部材および構成等と相互に置換可能な部材および構成等を適宜置換し、またその組み合わせを変更して適用すること 
・上記実施形態の中で開示されていないが、公知技術等に基づいて当業者が上記実施形態の中で開示した部材および構成等の代用として想定し得る部材および構成等と適宜置換し、またその組み合わせを変更して適用すること 
上記挙げた３点は、本発明の一実施形態として開示されるものである。 
【図面の簡単な説明】
【００４２】
【図１】本考案の一実施形態での液晶テレビジョン装置の斜視図である。
【図２】本考案の位置十形態での液晶テレビジョン装置のブロック構成図である。
【図３】バックキャビネットの厚み方向断面の一部を拡大した図である。
【図４】固定用ブラケットの斜視図である。
【図５】フック部とボス部と固定用ブラケットとの関係を梁の構造に簡略化した図である。
【図６】ボス部の先端を拡大した図である。
【図７】先端にリブを有さないボス部と固定用ブラケットの当接部の拡大図である。
【図８】先端にリブを有するボス部と固定用ブラケットの当接部の拡大図である。
【図９】バックキャビネットの一部を拡大した図である。
【図１０】従来の液晶テレビジョン装置の図である。
【図１１】壁掛け用部材を用いて液晶テレビジョン装置を壁に掛けた図である。
【符号の説明】
【００４３】
１…液晶テレビジョン装置
２…フロントキャビネット
３…液晶表示パネル
４…バックライト
５…バックキャビネット
６…本体
７…基板
８…固定用ブラケット
９…ボス部
１０…不織布
１１…スピーカー
１２…第一の貫通穴
１３…支持脚
１４…壁掛け用部材
１５…フレーム
１６…フック部
１７…第二の貫通穴
１８…支持部
１９…梁
２０…リブ
２１…第一の座
２２…第二の座
【図１】
0003117923.tif 000003
【図２】
0003117923.tif 000004
【図３】
0003117923.tif 000005
【図４】
0003117923.tif 000006
【図５】
0003117923.tif 000007
【図６】
0003117923.tif 000008
【図７】
0003117923.tif 000009
【図８】
0003117923.tif 000010
【図９】
0003117923.tif 000011
【図１０】
0003117923.tif 000012
【図１１】
0003117923.tif 000013